(57)【要約】【課題】  物品が梱包される梱包容器から別部材として設けられる傾斜台を利用して物品を荷を降ろすにあたり、物品を落下させることなく、安全に荷降ろしでき、傾斜台の取り付け作業性を容易にできるようにする。【解決手段】  パレット１０へ取り付けられ、複写機４０が載置され移動される傾斜台２０をパレットに収納可能とし、傾斜台の傾斜面部に傾斜台のパレットへの当接面２４から突出し、パレットの上面にまで到る突出覆板部２３を備える。パレット１０にはパレットの前記傾斜台との接合部に傾斜面とパレットの傾斜面まで到る板状部材１１を設け、板状部材１１は、パレット上に載置される蓋部３０のパレット１０への取付部材を兼ねている。また、板状部材１１は、所定の部分に分けて折り曲げ可能に構成され、傾斜台２０の取付位置の位置決めを行えるものとし、パレット１０の当接面には、傾斜台の当接個所を示す目印７０が表示されている。【選択図】        図３
2006224999.tif 000002
【特許請求の範囲】
【請求項１】
パレットへ取り付けられ、貨物が載置され移動される傾斜台であって、
傾斜台の傾斜面部に、傾斜台のパレットへの当接面から突出し、前記パレットの上面にまで到る突出覆板部を備えたことを特徴とする傾斜台。
【請求項２】
請求項１の傾斜台において、傾斜面は傾斜台の傾斜方向に沿う両側縁面の少なくとも一方側において突出形成されている突出板部を備えたことを特徴とする傾斜台。
【請求項３】
請求項１または２の傾斜台において、前記突出覆板部はその傾斜角を可変に構成されていることを特徴とする傾斜台。
【請求項４】
請求項１ないし３のいずれかの傾斜台において、パレットへの傾斜台の取付個所が表示されたことを特徴とする傾斜台。
【請求項５】
請求項１ないし４のいずれかの斜台において、パレットまたはパレットに載置された装置の包装容器中に同包可能に構成されたことを特徴とする傾斜台。
【請求項６】
貨物が載置され移動される傾斜台が設置可能なパレットであって、パレットの前記傾斜台との接合部に傾斜面とパレットの傾斜面まで到る覆板部材を備えたことを特徴とするパレット。
【請求項７】
請求項６のパレットにおいて、前記覆板部材は、パレット上に載置される覆蓋部材のパレットへの取付部材を兼ねていることを特徴とするパレット。
【請求項８】
請求項６または７のいずれかのパレットにおいて、前記覆板部材は、所定の部分に分けて折り曲げ可能に構成され、前記傾斜台の取付位置の位置決めを行えることを特徴とするパレット。
【請求項９】
請求項６ないし８のいずれかのパレットにおいて、前記パレットには、傾斜台の当接個所が表示されていることを特徴とするパレット。
【請求項１０】
請求項６ないし９のいずれかのパレットにおいて、パレットには請求項１ないし４の傾斜台を収納する収納部を備えたことを特徴とするパレット。
【請求項１１】
請求項１ないし４のいずれかの傾斜台と、請求項５ないし１０のいずれかのパレットとを備えたことを特徴とする傾斜台付パレット。
【発明の詳細な説明】
【技術分野】
【０００１】
本発明は傾斜台、パレット及び傾斜台付パレット係り、特にパレット上の貨物をパレットから容易に荷降しできる傾斜台、パレット及び傾斜台付パレット。
【背景技術】
【０００２】
一般に貨物をパレットから荷下ろしすときにパレット上から床面まで傾斜面を形成する傾斜台が使用されている。
【０００３】
特許文献１には梱包方法として、梱包対象となる物品を搭載可能なパレットと、該物品を上記パレット上で固定する部材を不動状態に維持するための物品固定用部材を用い、物品固定用部材を予め上記パレットに設けられている収納部に収納して引き出し可能に設け、物品の梱包時に該物品固定用部材をパレットから引き出して物品に掛け回すことにより該物品を上記パレット上で不動状態に固定する手順で梱包するものが記載されている。
【０００４】
特許文献２にはパレットとして、外郭変化前の搬送対象製品の形状に対応する第１の形状と、この第１の形状から外郭変化後の搬送対象製品の形状に対応する第２の形状へと変形
可能な緩衝材であり、第１の形状を、第２の形状に対応する本体部と、この本体部に対して離脱可能な変形部とを組み合わせて形成し、 第２の形状を、本体部から変形部を離脱することで形成するものが記載されている。
【０００５】
特許文献３には、物品運搬用パレットの上、下両デッキボードの間の中央のケタ部材を、矩形の柱状部材を２分割した２つの斜面部材で構成し、両デッキ
ボードの間に設けた開口支持部へ挿入、抜去可能に取り付け、荷下ろし作業では、開口支持部内からケタ部材を抜き出し、２分割し、一対の斜面 部材をそれぞれ斜面を上に向け、傾斜の高い方の端部をパレットの端部に製品のキャスターの間隔に対応させて配置して、製品を押して斜面部材の斜面を利用して簡単に床面の上などへ降ろせ、２分割してあった斜面部材は、その後組み合わせて開口支持部から両デッ
キボードの間へ戻して収納するものが記載されている。
【０００６】
【特許文献１】特開２００４−２０３４６３号公報
【特許文献２】特開２００４−２５００４８号公報
【特許文献３】特開２００４−２５６１１３号公報
【発明の開示】
【発明が解決しようとする課題】
【０００７】
ところで、特許文献２、特許文献３のものは、パレットと傾斜台とは連続面として構成されていないから、パレットと傾斜台との間に隙間や段差ができ、物品底部の車輪を利用して荷下ろしするとき、車輪が前記隙間や段差で傾斜台に引っかかり、パレットと傾斜台との間に隙間が生じてしまうことがある。
【０００８】
このようなとき、前記隙間に台車が嵌ってしまうと、荷降ろし作業に手間がかかるという問題がある。また、上記例では、２つの傾斜台をパレットの一側面に適当な間隔を開けて取り付けるようにしているから、傾斜台が物品の車の間隔及び位置に合致しないと、物品を傾斜台に円滑に移動させることができない。一般に車輪の取り付け位置は一定とは限らないところから、荷降ろし作業者が製品ごとに台車の位置に合わせて傾斜台をパレットに位置決めさせならず手間がかかることとなる。
【０００９】
本発明は、上記課題に鑑みてなされたものであり、物品が梱包される梱包容器から別部材として設けられる傾斜台を利用して物品を荷を降ろすにあたり、物品を落下させることなく、安全に荷降ろしできるとともに、傾斜台の取り付け作業性を容易にできるパレット用傾斜台を提供することをと目的とする。
【課題を解決するための手段】
【００１０】
請求項１の発明は、パレットへ取り付けられ、貨物が載置され移動される傾斜台であって、傾斜台の傾斜面部に、傾斜台のパレットへの当接面から突出し、前記パレットの上面にまで到る突出覆板部を備えたことを特徴とする。
【００１１】
請求項２の発明は、請求項１の傾斜台において、傾斜面は傾斜台の傾斜方向に沿う両側縁面の少なくとも一方側において突出形成されている突出板部を備えたことを特徴とする。
【００１２】
請求項３の発明は、請求項１または２の傾斜台において、前記突出覆板部はその傾斜角を可変に構成されていることを特徴とする。
【００１３】
請求項４の発明は、請求項１ないし３のいずれかの傾斜台において、パレットへの傾斜台の取付個所が表示されたことを特徴とする。
【００１４】
請求項５の発明は、請求項１ないし４のいずれかの斜台において、パレットまたはパレットに載置された装置の包装容器中に同包可能に構成されたことを特徴とする。
【００１５】
請求項６の発明は、貨物が載置され移動される傾斜台が設置可能なパレットであって、パレットの前記傾斜台との接合部に傾斜面とパレットの傾斜面まで到る覆板部材を備えたことを特徴とする。
【００１６】
請求項７の発明は、請求項６のパレットにおいて、前記覆板部材は、パレット上に載置される覆蓋部材のパレットへの取付部材を兼ねていることを特徴とする。
【００１７】
請求項８の発明は、請求項６または７のいずれかのパレットにおいて、前記覆板部材は、所定の部分に分けて折り曲げ可能に構成され、前記傾斜台の取付位置の位置決めを行える。
【００１８】
請求項９の発明は、請求項６ないし８のいずれかのパレットにおいて、前記パレットには、傾斜台の当接個所が表示されていることを特徴とする。
【００１９】
請求項１０の発明は、請求項６ないし９のいずれかのパレットにおいて、パレットには請求項１ないし４の傾斜台を収納する収納部を備えたことを特徴とする。
【００２０】
請求項１１の発明は、請求項１ないし４のいずれかの傾斜台と、請求項５ないし１０のいずれかのパレットとを備えたことを特徴とする傾斜台付パレットである。
【発明の効果】
【００２１】
本発明は、  できる。
【発明を実施するための最良の形態】
【００２２】
以下本発明を実施するための最良の形態を、図に示す実施例を参照して説明する。
【実施例】
【００２３】
図１は実施例に係る傾斜台付パレットの分解斜視図、図２は実施例に係る傾斜台の拡大斜視図であり、（ａ）は実施例に係る傾斜台、（ｂ）は変形例を示すもの、図３は実施例係る傾斜台付パレットの使用状態を示す斜視図であり、（ａ）組み付け中、（ｂ）は組み付けを終わった状態を示す図、図４は実施例に係る傾斜台の突出覆板部の傾斜状態を示す拡大斜視図であり、（ａ）は傾斜無し、（ｂ）は傾斜を設けた状態を示すもの、図５は他の実施例に係る傾斜台付パレットを示す斜視図、図６は他の実施例に係る傾斜台付パレットの傾斜台を示す斜視図である。
【００２４】
本例において、傾斜台付パレットは、梱包容器として図１に示すように使用される。梱包容器は、貨物である複写機４０を載置するパレット１０と、複写機４０を覆う蓋部３０と、蓋部３０とパレット１０とを連結する四方に配置された板状部材１１、１２，１３，１４からなる連結部と、複写機４０の位置ずれを防止する下部緩衝部材５１，５２，５３，５４（５０）上部緩衝部剤６１，６２，６３，６４（６０）と、複写機４０を覆うシート部材（図示せず）と、複写機４０をパレット１０から降ろすときに使用する傾斜台２０から構成される。
【００２５】
梱包容器を構成する各部材は、ボール紙や木材、発泡材で構成されている。板状部材１１、１２，１３，１４はパレット１０の上面１５に対し起立しているが、蓋部３０を外した状態で折り曲げ可能になっている。
【００２６】
一方、蓋部３０をパレット１０に取り付けた状態では、板状部材１１、１２，１３，１４を起立させて蓋部３０に固着し互いに補強する役割を果たしている。ここで、板状部材１１、１２，１３，１４と蓋部３０とは、板状部材１１、１２，１３，１４に設けられている孔１２ａ、１４ａと蓋部３０の下方に設けられている孔３０ａの位置とを合わせ、図示しない係合部材により固定されている。
【００２７】
また、複写機４０の下部には、図示しない車輪が４隅に各１つずつ取り付けられており、車輪を回転させることにより複写機４０を移動可能としている。本実施例では、パレット１０から複写機４０をスライドさせて荷降ろしする。
【００２８】
傾斜台２０は、パレット１０の側面１６に当接する当接面２４を形成した基部２１と、基部２１上に配置された傾斜面２２とを備えている。基部２１は床面Ｆからパレット１０の側面１６の高さまで傾斜面２２を傾斜させており、傾斜面２２には、図２に示すように、当接面２４から突出し、前記パレット１０の上面１５にまで到る突出覆板部２３備えている。本例では、突出覆板部２３の長さはパレット１０の板状部材５１からパレット１０の端縁までの距離と等しく設定している。また、本例では、傾斜台２０はパレット１０の内部、あるいは蓋部３０内に配置可能なものとする。
【００２９】
また、本発明では、図２（ｂ）に示すように、傾斜面１２２に突出覆板部１２３の他、基部１２１の幅寸法方向に延長した突出板部１２５を設けることができ、この場合複写機４０の車輪が傾斜面１２２から外れにくいものとできる。
【００３０】
また、本例では、図３（ａ）、（ｂ）に示すように、板状部材１１は上面１５に対して外側に向け回動可能に形成され、傾斜台２０をパレット１０に取り付け、突出覆板部２３をパレット１０の上面１５に接触させた状態で、傾斜台２０の突出覆板部２３の端部を覆うことができるように構成されている。
【００３１】
次に複写機４０の梱包を解き、パレット１０から降ろす場合について説明する。
まず、蓋部３０を取り外し、下部緩衝部材５０、上部緩衝部材６０、シート部材を取り外す。次に、傾斜台２０を取出し図３（ａ）に示すように、その当接面２４をパレット１０の側面１６に突き当て接触させる。その際、突出覆板部２３がパレット１０の上面１５上に配置する。
【００３２】
さらに図３（ｂ）に示すように、連結部材５１を傾斜台２０の突出覆板部２３を覆い傾斜面２２に達するまで回動する。この状態で、パレット１０と傾斜台２０の隙間は突出覆板部２３と板状部材１１とで覆われることとなる。そして、この状態で複写機４０を傾斜台２０の傾斜面２２に沿って降ろす。
【００３３】
このとき、複写機４０の車輪がパレット１０から傾斜台２０へ移動するとき、複写機の重さにより突出覆板部２３が板状部材１１とパレット１０の上面１５上面とで挟持されるため、傾斜台２０がパレット１０に固着された状態となり、互いが離れることがなく、複写機４０は引っかかることがなく円滑に降ろされる。
【００３４】
次に本発明に係る傾斜台付パレットの他の実施例について説明する。本例は、パレット１０の側面１６の高さがパレットにより異なる場合があり、このような事態に適合するようにしたものである。本例では、１種類の傾斜台２２０であらゆる高さのパレット１０に適用できるものである。
【００３５】
図４（ａ）に示すように、傾斜台２２０の基部２２１と突出覆板部２２３と境に切り込み２２４を設け、突出覆板部２２３の角度θを変更できるものとしている。本例によれば、パレット１０に傾斜台２２０突き当てるとき、突出覆板部２２３をパレット１０の上面１５に無理なく重ねることができる。このため、複写機４０を車輪で転がしてパレット１０から傾斜台２２０へ円滑に移動することができる。
【００３６】
さらに本発明の他の実施例を説明する。本例は、異なる車輪幅の複写機に対応するものである。即ち本例では、荷降ろし作業者が複写機の車輪の位置を考慮することなく、容易に傾斜台を突き当てられるものとする。本例では、図５に示すように、パレット１０の側面１６には、傾斜台２０の当接面２４に突き当てられる位置に目印７０を印刷している。この目印７０は、側面１６の当接面２４面に接する面を塗りつぶす形態や、「当接面」のように作業者が傾斜台２０の当接面２４を突き当てる位置であると認識できるような文字を記載することができる。
【００３７】
本例によれば、作業者は、機器ごとの車輪の間隔を考慮する必要がなく、容易に傾斜台を適切な位置に突き当てることができる。
【００３８】
また、本発明では、さらに、傾斜台２０のずれを確実に防止するために、以下の構成を採用することができる。これは図６に示すように、連結部材１１の中央部分に２つの切り込みを１１１を入れ、中央部１１２をパレット１０の側面２５側に回動させるものである。切り込み１１１は、連結部材１１の端縁から内側に向けて所定の角度をもってＶ字状に形成し、切り込み１１１の両端部が傾斜台２０に接触するようにしている。
【００３９】
なお、上記各例において、傾斜台２０（１２０）は、その基台８０として、図７の右下に示すように円筒部材８１と半円筒部材８２とを複数連結したものを上下から板材で挟み込んだ形状とすることができる。また、その、外側部に配置された半円筒部材として形成することができる。このように半円筒状とすると切り込み部１１１が半円筒部材８２の角部に確実に係合されることになり、傾斜台２０が確実に固定される。
【００４０】
なお、傾斜部の係合部は、半円筒の構成に限られることなく、傾斜部外側部をフラットとして、係合穴を設けてもよい。また、傾斜部のスロープ面に係合穴を設け、切り込み部以外の連結部を前記係合穴に挿入させるようにしてもよい。さらに、ベース部を確実に位置決めするためにスロープ面を図２（ｂ）のように内側に延長させ太ものを使用し、切り込み部の傾斜面に、前記延長部を係合させてもよい。
【００４１】
なお、上記説明では各実施例について異なる構成として説明したが、各実施例単独の構成に限定されることなく、各実施例の構成を組み合わせてもよい。
【図面の簡単な説明】
【００４２】
【図１】実施例に係る傾斜台付パレットの分解斜視図である。
【図２】実施例に係る傾斜台の拡大斜視図であり、（ａ）は実施例に係る傾斜台、（ｂ）は変形例を示すものである。
【図３】実施例係る傾斜台付パレットの使用状態を示す斜視図であり、（ａ）組み付け中、（ｂ）は組み付けを終わった状態を示す図である。
【図４】実施例に係る傾斜台の突出覆板部の傾斜状態を示す拡大斜視図であり、（ａ）は傾斜無しの状態を示し、（ｂ）は傾斜を設けた状態を示すものである。
【図５】他の実施例に係る傾斜台付パレットを示す斜視図である。
【図６】他の実施例に係る傾斜台付パレットの傾斜台を示す斜視図である。
【符号の説明】
【００４３】
１０・・・パレット
１１、１２，１３，１４・・・板状部材
１１・・・連結部材
１５・・・上面
１６・・・側面
２０・・・傾斜台
２１・・・基部
２５・・・側面
２２・・・傾斜面
２３・・・突出覆板部
２４・・・当接面
３０・・・蓋部
３０ａ・・・孔
４０・・・複写機
５０・・・下部緩衝部材
５１，５２，５３・・・下部緩衝部材
５１・・・連結部材
１２ａ、１４ａ・・・孔
６０・・・上部緩衝部材
６１，６２，６３・・・上部緩衝部剤
７０・・・目印
８０・・・基台
８１・・・円筒部材
８２・・・半円筒部材
１１１・・・部
１１２・・・中央部
１２１・・・基部
１２２・・・傾斜面
１２３・・・突出覆板部
１２５・・・突出板部
２２０・・・傾斜台
２２１・・・基部
２２３・・・突出覆板部
【図１】
2006224999.tif 000003
【図２】
2006224999.tif 000004
【図３】
2006224999.tif 000005
【図４】
2006224999.tif 000006
【図５】
2006224999.tif 000007
【図６】
2006224999.tif 000008
【手続補正書】
【提出日】平成17年2月22日(2005.2.22)
【手続補正１】
【補正対象書類名】明細書
【補正対象項目名】００２１
【補正方法】変更
【補正の内容】
【００２１】
本発明によれば、別部材として配置される傾斜台を利用して、物品が梱包された梱包容器から物品を荷下ろしするにあたり、物品を落下させることなく安全に荷降ろしできるとともに、傾斜台の取り付け作業性を良好なものとできる。
【手続補正書】
【提出日】平成17年2月23日(2005.2.23)
【手続補正１】
【補正対象書類名】明細書
【補正対象項目名】００２１
【補正方法】変更
【補正の内容】
【００２１】
本発明によれば、別部材として配置される傾斜台を利用して、物品が梱包された梱包容器から物品を荷下ろしするにあたり、物品を落下させることなく安全に荷降ろしできるとともに、傾斜台の取り付け作業性を良好なものとできる。
【手続補正書】
【提出日】平成17年2月23日(2005.2.23)
【手続補正１】
【補正対象書類名】明細書
【補正対象項目名】００２１
【補正方法】変更
【補正の内容】
【００２１】
本発明によれば、別部材として配置される傾斜台を利用して、物品が梱包された梱包容器から物品を荷下ろしするにあたり、物品を落下させることなく安全に荷降ろしできるとともに、傾斜台の取り付け作業性を良好なものとできる。